(57)【要約】【課題】上下左右の四辺が相互に緊密に結合された構造力学的に強いボックス形断面の側溝製品となり、補修交換が必要箇所に限定して簡便に行え、布設現場に専用の反転機械を配備する必要がなく、面倒なテーピングの作業が不要であり、天候にほとんど左右されずに布設作業を進めることができる可変勾配型蓋付き側溝製品とその生産方法を提供する。【解決手段】生産管理された工場において、左右側壁版と底壁版とからなる横断面Ｕ字型の側溝本体を鉄筋コンクリートで一体成形し、インバートコンクリートを底壁版上面に打ち継ぎ形成し、所要の表面性状または断面性状を有する鉄筋コンクリート製の蓋版を左右側壁版の上端部間に左右側壁版と一体に成形するか一体的に接合し、所要の装飾部材または機能部材を蓋版に加工または装着し、側溝本体にインバートコンクリートと蓋版が付設された状態で養生する。【選択図】    図１
2004270293.tif 000002
【特許請求の範囲】
【請求項１】
生産管理された工場において、左右側壁版と底壁版とからなる横断面Ｕ字型の側溝本体を鉄筋コンクリートで一体成形し、一連に布設したとき所要の流水勾配を生じさせるインバートコンクリートを底壁版上面に打ち継ぎ形成し、所要の表面性状または断面性状を有する鉄筋コンクリート製の蓋版を左右側壁版の上端部間に左右側壁版と一体に成形するか一体的に接合し、蓋版に所要の装飾部材または機能部材を加工または装着し、側溝本体にインバートコンクリートと蓋版が付設された状態で養生する可変勾配型蓋付き側溝製品の生産方法。
【請求項２】
請求項１に記載の生産方法によって生産され、底壁版を下位側に配置し蓋版を上位側に配置した状態で出荷される可変勾配型蓋付き側溝製品。
【請求項３】
底壁版の上面中間部に凹部を形成し、該凹部を埋め合わせるようにしてインバートコンクリートを打設したことを特徴とする請求項２に記載の可変勾配型蓋付き側溝製品。
【発明の詳細な説明】
【０００１】
【発明の属する技術分野】本発明は、道路の側縁部に一連に布設され、望ましい流水勾配が相接合された底壁版のインバートコンクリートによって与えられる可変勾配型の側溝製品とその生産方法に関するものである。
【０００２】
【従来の技術】従来の一般的な道路側溝は、左右側壁版と底壁版とからなる横断面Ｕ字型の側溝製品を一連に布設することによって構築されているが、この側溝製品では底壁版の上面と側壁版の天端間の距離、すなわち溝深さは側溝製品の全長にわたって一定となっているため、水路底勾配が側溝天端及び道路縦断勾配と同じにならざるを得ず、その結果水路の水流の速さを加速することができず、水路底に砂、泥、ゴミなどの汚物が沈殿、堆積し排水不良を招き易い。
【０００３】
道路縦断勾配と関係なしに水路底勾配を簡便かつ自由に施工できるとして提案された勾配自在形側溝製品では、左右側壁版の両端上部間に水平耐力梁部を一体形成し、左右側壁版間下部を全面開放底部とし、道路側縁部の掘削溝底部の基礎地盤に左右側壁版を載置し、前記全面開放底部にインバートコンクリートを水路勾配に合わせて打設している（例えば特許文献１参照）。
【０００４】
別の勾配自在形側溝製品では、左右側壁版の中間上部間に水平耐力梁部を一体形成し、左右側壁版間下部を全面開放底部とし、道路側縁部の掘削溝底部に打設した基礎コンクリート上に左右側壁版を載置し、前記全面開放底部に現れた基礎コンクリート上にインバートコンクリートを水路勾配に合わせて打設している（例えば特許文献２参照）。
【０００５】
しかしながら、基礎地盤上にインバートコンクリートを打ち継ぐ前記特許文献１の側溝製品と、基礎コンクリート上にインバートコンクリートを打ち継ぐ前記特許文献２の側溝製品のいずれにおいても、左右側壁版の下部内側面の前処理が適切になされていないと、左右側壁版とインバートコンクリートとが緊密に一体化されず、実際には長さ方向の全部または一部において両者が縁切り状態になっていることがある。その場合には、上下左右の四辺が相互結合されたボックス形断面とならず、見掛け上は兎も角として構造力学的には脆弱なものとなった。
【０００６】
さらに別の側溝製品では、左右側壁版の両端上部間に水平耐力梁部を一体形成し、左右側壁版間下部を全面開放底部とし、左右側壁版の下端内側面間に鉄筋部材を連結し、道路側縁部の掘削溝底部に打設した基礎コンクリート上に左右側壁版を載置し、前記全面開放底部に現れた基礎コンクリート上に底部コンクリートを水路勾配に合わせて打設し、前記鉄筋部材を底部コンクリート内に包み込んでいる（例えば特許文献３参照）。
【０００７】
この特許文献３の側溝製品では、前記鉄筋部材を介して底部コンクリートと左右側壁版が緊密に結合されているため、水平耐力梁部のある断面においては、上下左右の四辺が相互結合されたボックス形断面となり、構造力学的に強化されるのであるが、地震や山崩れ事故の後等において側溝ラインの一部を交換補修したいとき、隣接する側溝製品同士が連続打設された底部コンクリートによって相互に一体化されているため、改修対象の側溝製品だけを取出して交換する作業が非常に困難であり、多くの労力を必要とする。
【０００８】
また、従来の側溝製品は、コンクリート材料を型枠に流し込むときの作業性と流動性を考慮して底壁版が上位側に来るように配置して成形され、そのままの姿勢で養生されて出荷されている。そのため、運搬トラックの荷台から布設現場に積み卸された側溝製品は、基礎地盤または基礎コンクリート上に載置して据え付ける前作業として、底壁版が下位側に来るように反転させる必要があり、専用の反転機械を布設現場に搬入設置する必要があり、布設現場に反転機械のための平面スペースと熟練したオペレーターを配置する必要があり、これは交通障害の影響範囲の拡大と布設コストの増大をもたらしている。
【０００９】
側溝製品を据え付けた後、側溝本体の上面開放部には蓋版が掛けられるのであるが、この蓋版掛け作業には機械力を使用できないため、作業員が相当の重量のある蓋版を一枚ずつ運搬し、蓋版や側溝本体にコンクリートに角欠けを生じないように姿勢を制御して、所定位置に慎重に嵌めなければならず、作業員の労力負担が大きく、工期もその分だけ長くなった。
【００１０】
蓋版を側溝本体に装填した後、左右側壁版の外側空間に土砂が埋め戻されるのであるが、このとき側壁版内面の蓋掛り肩部と蓋版端面間の隙間から埋め戻し土砂が水路空間内に侵入しないようにするため、側壁版天端と蓋版に跨って隙間被覆用テープが貼り付けられる。
しかしながら、長々と布設された側溝ラインにテーピングし、埋め戻し後にテープを引き剥がすことは、少なからずの材料費と労賃コストを要し、これも布設コストの節減を妨げている。
【００１１】
また、作業環境の良くない布設現場で側溝本体の上面開放部からインバートコンクリートを計画した水路底勾配に合うように正確に打設することは容易ではなく、実際上は計画勾配よりずれた水路底面が形成されてしまうことがある。
また、コンクリートを露天で現場打設するのであるから、コンクリートの水セメント比に悪影響を与える雨天時には打設作業を延期せざるを得ず、また、打設された底部コンクリートが必要充分に養生硬化してから次の布設工程に入るため、全体の布設工期が長くならざるを得ず、交通規制の期間をその分だけ長くすることになっている。
【００１２】
【特許文献１】実公昭５６‐５１１１３号公報
【特許文献２】特開平７−４２２２４号公報
【特許文献３】特開平６−１４６３８５号公報
【００１３】
【発明が解決しようとする課題】したがって本発明の目的は、長手方向軸線の全長ないし大部分において上下左右の四辺が相互に緊密に結合されたボックス形断面をとることができ、構造力学的に強靭な側溝を構築できるとともに、地震や事故後の補修交換が必要とする箇所に限定して簡便に行え、また、布設現場に専用の反転機械を配備する必要がなく、面倒なテーピングの作業が不要となり、さらにまた、天候にほとんど左右されずに布設作業を進めることができ、計画通りの水路底勾配を正確に形成することができる可変勾配型蓋付き側溝製品とその生産方法を提供することである。
【００１４】
【課題を解決するための手段】請求項１の発明の可変勾配型蓋付き側溝製品の生産方法では、生産管理された工場において、左右側壁版と底壁版とからなる横断面Ｕ字型の側溝本体を鉄筋コンクリートで一体成形し、一連に布設したとき所要の流水勾配を生じさせるインバートコンクリートを底壁版上面に打ち継ぎ形成し、所要の表面性状または断面性状を有する鉄筋コンクリート製の蓋版を左右側壁版の上端部間に左右側壁版と一体に成形するか一体的に接合し、蓋版に所要の装飾部材または機能部材を加工または装着し、側溝本体にインバートコンクリートと蓋版が付設された状態で養生する。
【００１５】
請求項２の発明の可変勾配型蓋付き側溝製品は、請求項１の発明の生産方法によって生産されたものであり、底壁版を下位側に配置し蓋版を上位側に配置した状態で出荷される。
【００１６】
請求項３の発明の可変勾配型蓋付き側溝製品は、請求項２の発明の前記構成に加えて、底壁版の上面中間部に凹部を形成し、該凹部を埋め合わせるようにしてインバートコンクリートを打設したものである。
【００１７】
【発明の実施の形態】本発明の側溝製品の生産に当っては、通常のコンクリート二次製品の生産工場に設置されている流し込み成形方式あるいは即時脱型方式の成形装置が適宜に使用される。左右側壁版１１，１１と底壁版１２とからなる側溝本体１０は、成形装置に装填された成形用型枠に所要の流動性を有するセメントコンクリート材料を充填することによって一体成形される。
コンクリート材料の充填性を考慮して側溝本体の成形用型枠は、底壁版部が上位側に来るように配置され、充填したコンクリートが所定数値まで凝結硬化した後、側溝本体の成形用型枠は、図１に示したように底壁版が下位側に来るように成形装置の反転機構を使用して上下反転させられる。
【００１８】
底壁版１２の上面に当接する型枠部分と、左右側壁版１１，１１の根元部に当接する型枠部分が、側溝本体１０の成形用型枠から除去され、インバートコンクリート１４が底壁版１２の上面と左右側壁版１１，１１の根元部によって囲まれた空間に充填される。このとき、図３に示したようにインバートコンクリート１４の上面によって所要の流水勾配が形成されるようにするため、側溝本体の成形用型枠は水平面に対して計画流水勾配に相当する角度分だけ水平面に対して傾斜保持させられる。充填したインバートコンクリート１４が所定数値まで凝結硬化した後、側溝本体の成形用型枠は元の直立姿勢に戻される。
【００１９】
左右側壁版１１，１１の先端部内側面に当接する型枠部分が蓋版１３の成形厚さ相当分だけ除去され、適当な支保部材を介して蓋版成形用型枠が側溝本体の成形用型枠に附設される。図４に示したように蓋版の成形用空間には鉄筋組立体１９が配設される。蓋版形成用のコンクリート材料が該鉄筋組立体１９を包み込むように充填され、蓋版１３と左右側壁版１１，１１とが一体成形される。構造力学的強度を高くするためにには、蓋版部の鉄筋部材と側壁版部の鉄筋部材を相互連結したり交差配置してコンクリートで包み込むのが望ましい。
【００２０】
このようにインバートコンクリート１４と蓋版１３が付設された側溝製品は養生ヤードに運搬され、各部のコンクリートが所定数値まで凝結硬化した段階で側溝製品は側溝本体の成形用型枠及び附設型枠から脱型され、底壁版１３を下位側に配置し、蓋版１３を上位側に配置した正立状態で出荷まで保管される。
側溝の布設現場には上記正立姿勢のまま運搬され、掘削溝１５の底部に締め固め形成した基礎地盤１６または基礎コンクリート１７に重機によって吊り卸される。側溝製品の接合端面には通常、止水用の定型シール材２０が工場段階で装着されており、隣接の側溝製品の接合端面間に定型シール材を圧縮させた状態で適当な連結金具を介して側溝製品同士が接合される。
【００２１】
計画ラインに沿って複数の側溝製品が据え付け接合された後、左右側壁版１１，１１の外側面と掘削溝１５の溝壁面間の空所が土砂によって埋め合わされる。このとき、蓋版１３と左右側壁版１１，１１は一体成形されているため、従来のように土砂侵入防止用のテープを貼り付ける必要がない。
側溝製品を所定の順序で据え付け連結することによって、図３に示したように相当接したインバートコンクリート１４、１４の上面によって計画通りの水路底勾配が形成されることになる。
【００２２】
蓋版１３を上記のように側溝本体１０と一体構造にしたときには、従来の蓋版と側溝本体間の残存隙間による騒音発生の問題は完全に解消することができる。
蓋版１３を側溝本体１０と一体的に形成するとき、左右側壁版１１，１１の天端部の側面孔を通して複数本の水平ピンやインナーボルトあるいはＰＣ鋼材を蓋版形成部に挿通し、コンクリートに埋め込み密着させると、構造的強度がより高くなり、より高い上載荷重に耐えることができる。
【００２３】
蓋版１３は側溝本体１０と一体構造に成形する代りに、別個に成形した蓋版１３を左右側壁版１１，１１の天端部に一体的に接合することもできる。
例えば、蓋版１３の個別成形時に蓋版の左右側面部にナット型インサートを埋設し、蓋版１３を左右側壁版１１，１１の天端部内側面の蓋版掛け用肩部１８に載せ掛けた後、側壁版天端部の側面孔を通して締め付けボルトを前記ナット型インサートに捻じ込むのである。
【００２４】
【実施例】側溝本体１０と蓋版１３は、側溝製品が布設される目的と場所等に対応して各種の表面性状または断面性状をとる。また、側溝本体１０と一体成形される蓋版１３と、別個に成形されて側溝本体１０に一体的に接合される蓋版１３のいずれにあっても、その成形時または成形後あるいは接合後の適当な時点において、各種の装飾加工や機能組み込み加工がなされ、蓋版１３に各種の装飾部材や機能部材が付加装着される。
以下、本発明の側溝製品の典型的な実施例を図面に基づいて例示する。
図３は水路底勾配の形成態様を示す縦断面図であり、（ａ）の例では５個の側溝製品が集合して勾配１．５％の一つの傾斜面が形成されている。（ｂ）の例では５個の側溝製品が集合して勾配０．５％の一つの傾斜面が形成されている。（ｃ）の例では高さが異なる複数個の側溝製品で段差状水路が構成され、隣接する側溝製品の端部にそれぞれ勾配１％〜５％の傾斜面が形成されている。
【００２５】
図５は側溝製品の典型的形態を示す正面図であり、（ａ）の例は一般側溝における基本型を示しており、外側への張出し部を有する左右側壁版は同一形状に形成されている。（ｂ）の例は一般側溝における隣地境界型を示し、道路に隣接する他の土地側に配置される左側の側壁版では、外側への張出し部がなく、外面は垂直に形成されている。
【００２６】
図６の（ａ）の例は坂道横断面対応型の側溝製品であり、側溝製品は坂道を横断して布設される。左側の側壁版１１が坂道の上手側に配置され、右側の側壁版１１が坂道の下手側に配置される。右側の側壁版の高さは左側の側壁版の高さよりも低く設定されており、蓋版１３の上面は坂道の傾斜角度に合わせて傾斜配置されている。
図６の（ｂ）の例は縦断路対応型の側溝製品であり、右側の側壁版の高さは左側の側壁版の高さよりも低く設定されている。図６の（ｃ）の例はマウント対応型の側溝製品であり、蓋版１３の上面は山形斜面に形成されている。
【００２７】
図７は情報ケーブル収納対応型の側溝製品を示す正面図であり、（ａ）の例は基本型の側溝製品であり、（ｂ）の例は隣地境界型の側溝製品である。情報ケーブル収納孔３８は蓋版１３に成形段階で形成してある。
図８はビレッジ対応型の側溝製品を示す正面図であり、（ａ）の例は基本型の側溝製品である。
【００２８】
図８の（ｂ）の例は隣地境界型の側溝製品であり、（ｃ）の例はは境界ブロック２１付きの基本型の側溝製品であり、（ｄ）の例は境界ブロック２１付きの隣地境界型の側溝製品である。いずれのタイプにおいても、蓋版１３の上面は谷型傾斜面に形成されている。また、蓋版１３の左端部には連結用鉄筋部材２２を介して境界ブロック２１が接合され、境界ブロック２１は左側の側壁版１１の天端を隠蔽している。
【００２９】
図９は透水対応型の側溝製品を示す正面図であり、（ａ）の例はリブ付きの基本型の側溝製品であり、（ｂ）の例はリブ付きの隣地境界型の側溝製品であり、いずれにおいても左右側壁版１１の天端部はリブ状に蓋版１３の外側に露出している。図９の（ｃ）の例はリブ無しの基本型の側溝製品であり、（ｄ）の例はリブ無しの隣地境界型の側溝製品であり、いずれにおいても左右側壁版１１の天端部は蓋版１３の左右端部によって隠蔽されている。
（ａ）から（ｄ）のいずれの側溝製品においても、蓋版１３の上面には透水層２４が成形段階で形成されており、透水層２４と蓋版１３を上下に貫通して導水孔２３が成形段階で複数個形成されている。
【００３０】
図１０は平坦道路横断対応型の側溝製品を示す右側面図であり、（ａ）の例は水路底面が山形の二つの傾斜面で構成された分水嶺型の布設形態であり、（ｂ）の例は水路底面が水平に形成された水平型の布設形態であり、（ｃ）の例は水路底面が片流れ斜面に形成された片流れ型の布設形態である。
【００３１】
図１１は集水対応型の側溝製品を例示するものであり、右側の側壁版１１の天端部上面には導水溝２５が成形段階で形成され、蓋版１３の右端部には導水溝２５に対面して導水切欠２６が成形段階で形成され、側壁版１１の蓋版掛け用肩部１８には導水窪み２７が成形段階で形成されている。
【００３２】
図１２は透水舗装対応型の側溝製品を例示するものであり、右側の側壁版１１の天端部上面には導水溝２５が成形段階で形成され、蓋版１３の右端部には導水溝２５に対面して導水切欠２６が成形段階で形成され、側壁版１１の蓋版掛け用肩部１８には導水窪み２７が成形段階で形成されているとともに、右側の側壁版１１の天端部と中間腹部には側面導水孔２８が成形段階で形成され、道路の透水舗装層からの浸透水を受入れるようになっている。
【００３３】
図１３はＬ型街渠対応型の側溝製品を例示するものであり、左側の側壁版１１の外側に接するように境界ブロック２１が配置され、蓋版１３の上面は境界ブロック２１の方向に６％の下り傾斜に形成されており、蓋版１３の左端部には上下方向に貫通する導水孔２３が成形段階で形成されている。
【００３４】
図１４は滑り防止対応型の側溝製品を例示するものであり、蓋版１３の上面には滑り止め用粗面部２９が工場段階で形成されている。
図１５はリブ付き化粧タイル対応型の側溝製品を例示するものであり、蓋版１３の上面には化粧タイル３０が工場段階で貼られている。左右側壁版１１の天端部はリブ状に化粧タイル３０層の外側に露出している。
図１６はリブ無し化粧タイル対応型の側溝製品を例示するものであり、左右側壁版１１の天端部は蓋版１３の左右端部によって隠蔽されている。蓋版１３の上面には化粧タイル３０が工場段階で貼られている。
【００３５】
図１７はリブ付きカラークッションマット対応型の側溝製品を例示するものであり、蓋版１３の上面には緩衝作用のあるカラークッションマット３１が工場段階で貼られている。左右側壁版１１の天端部はリブ状にカラークッションマット３１の外側に露出している。
図１８はリブ無しカラークッションマット対応型の側溝製品を例示するものであり、左右側壁版１１の天端部は蓋版１３の左右端部によって隠蔽されている。蓋版１３の上面にはカラークッションマット３１が工場段階で貼られている。
【００３６】
図１９はグレーチング集水対応型の側溝製品を例示するものであり、蓋版１３の中央開口部には導水用グレーチング３２が成形段階で装着されている。この導水用グレーチングの大きさは適宜変更することができる。
図２０はリブ付きカラー透水マット対応型の側溝製品を例示するものであり、蓋版１３の上面にはカラー透水マット３３が成形段階に装着されている。左右側壁版１１の天端部はリブ状にカラー透水マット３３の外側に露出している。
蓋版１３には上下方向に貫通する導水孔２３が成形段階で形成されている。
【００３７】
図２１はリブ無しカラー透水マット対応型の側溝製品を例示するものであり、左右側壁版１１の天端部は蓋版１３の左右端部によって隠蔽されている。蓋版１３の上面にはカラー透水マット３３が工場段階で貼られている。蓋版１３には上下方向に貫通する導水孔２３が成形段階で形成されている。
【００３８】
図２２は横断破損防止対応型の側溝製品を例示するものであり、左右側壁版１１の天端部はリブ状に蓋版１３の外側に露出している。左右側壁版１１の天端部には断面Ｕ字状の破損防止用カバー金具３４が成形段階で装着されている。
図２３は交通安全用自発光体対応型の側溝製品を例示するものであり、蓋版１３の端部上面に交通安全用の自発光体３５が成形段階で装着されている。
【００３９】
図２４は発明の路面排水溝対応型の側溝製品を例示するものであり、底壁版１２の上面には、遊離脱落防止用凹部３６が成形段階で形成されており、インバートコンクリート１４は該凹部３６を埋め合わせるように打設されている。該凹部３６の長手方向寸法は、インバートコンクリート１４の打ち込み厚さに対応して変更することができる。右側の側壁版１１の天端部上面には導水溝２５が成形段階で幅広く形成され、蓋版１３の右端部には導水溝２５に対面して導水切欠２６が成形段階で形成され、側壁版１１の蓋版掛け用肩部１８には導水窪み２７が成形段階で形成されている。
【００４０】
図２５は交通安全用連続帯状反射対応型の側溝製品を例示するものであり、交通安全用反射塗料膜３７が蓋版１３に装着されたカラークッションマット３２の上面端部に、全長にわたって連続して形成されている。この反射塗料膜３７の形成は成形後に工場でなされている。反射塗料膜３７は蓋版１３に直接形成することもできる。
図２６は交通安全用非連続帯状反射対応型の側溝製品を例示するものであり、交通安全用反射塗料膜３７が蓋版１３に貼付されたカラー透水マット３３の上面端部に全長にわたって非連続に形成されている。この反射塗料膜３７の形成は成形後に工場でなされている。反射塗料膜３７は蓋版１３に直接形成することもできる。
連続または非連続に形成される反射塗料膜３７は、反射テープの貼付または反射部材の埋め込みによって置き換えることもできる。
【００４１】
【発明の効果】以上のように請求項１の発明の可変勾配型蓋付き側溝製品の生産方法では、生産管理された工場において、左右側壁版と底壁版とからなる横断面Ｕ字型の側溝本体を鉄筋コンクリートで一体成形し、インバートコンクリートを底壁版上面に打ち継ぎ形成し、鉄筋コンクリート製の蓋版を左右側壁版の上端部間に左右側壁版と一体に成形するか一体的に接合し、側溝本体にインバートコンクリートと蓋版が付設された状態で養生するようにしたため、蓋版に導水孔等の開口部や切欠部がないときには長手方向軸線の全長において、該開口部や切欠部が存在する場合にはその箇所以外の大部分において、上下左右の四辺が相互に緊密に結合された構造力学的に強いボックス形断面の側溝製品を生産することができる。
【００４２】
側溝本体の底壁版上面へのインバートコンクリートの打設は、所要の機械設備が完備され、作業スペースが広く確保され、生産管理が充分になされる工場においてなされるため、インバートコンクリート上面の傾斜角度を設計値の通りに設定することができ、複数の側溝製品を所定の順序で据え付けたとき、計画通りの水路底勾配を確実に得ることができる。
【００４３】
請求項２の発明の可変勾配型蓋付き側溝製品では、インバートコンクリートは工場段階において個別の側溝製品の底壁版上面を打ち継がれており、側溝製品を一連に布設したとき、隣り合う側溝製品同士のインバートコンクリートは、その長手方向端面において相手側と接触してはいるが、一連に結合した一体構造物を構成してはいない。そのため、地震や山崩れ事故等の後の復旧工事において損壊箇所の側溝製品を補修交換するときには、隣接の側溝製品との間の接合金具を解除すれば、補修対象の側溝製品を簡便に取出すことができ、新規の側溝製品と入れ替えることができる。補修工事は必要な箇所に限定して局部的に行われるから、復旧コストを節減することができる。
【００４４】
工場からの出荷は底壁版を下位側に配置し蓋版を上位側に配置した状態でなされ、その正常姿勢の維持したまま布設現場に搬入されるため、個別の布設現場に専用の反転機械を配備する必要がなく、反転機械の運転のために熟練したオペレーターを布設現場に配置する必要がなく、布設コストをその分だけ節減することができる。
【００４５】
蓋版は左右側壁版の上端部間に左右側壁版と一体に成形するか、これらに一体的に接合されており、左右側壁版と蓋版間には埋め戻し土砂が侵入するような隙間が存在していないため、隙間閉塞用の面倒なテーピング作業を実施する必要がなく、その資材費と労賃コストを節減できる。側溝製品の据え付け接合後に直ちに埋め戻し工程に進めるので、工期の短縮が可能である。
【００４６】
蓋版は工場段階において左右側壁版と一体成形されているか、左右側壁版に一体的に接合されているから、布設現場における側溝本体への蓋版装填の作業が不要となり、その労力負担と労賃コストを節減でき、その分だけ工期の短縮が可能である。
【００４７】
底壁版上面へのインバートコンクリートの打設と養生は工場段階で完了しているから、布設現場では掘削溝底部の基礎地盤または基礎コンクリートに複数の側溝製品を一連に据え付けて相互に連結した後、直ちに土砂の埋め戻し工程に進むことができ、布設現場でのコンクリートの打設工程がないので、天候にほとんど左右されずに布設作業を進めることができ、布設工事の工期の短縮と工事に伴なう道路の交通規制期間の短縮が可能である。
【００４８】
請求項３の発明の可変勾配型蓋付き側溝製品では、底壁版の上面中間部に凹部を形成し、該凹部を埋め合わせるようにしてインバートコンクリートを打設したため、底壁版とインバートコンクリート間の打ち継ぎ面に剥離が生じてもインバートコンクリートの遊離脱落に至ることがない。
【図面の簡単な説明】
【図１】本発明の生産方法における工程の流れを例示する概念図である。
【図２】本発明の側溝製品の全体構成を例示する斜視図である。
【図３】本発明の側溝製品における水路底勾配の形成態様を例示する縦断面図であり、（ａ）は５個の側溝製品が集合して勾配１．５％の一つの傾斜面が形成された場合を示し、（ｂ）は５個の側溝製品が集合して勾配０．５％の一つの傾斜面が形成された場合を示し、（ｃ）は高さが異なる複数個の側溝製品で段差状水路が構成され、隣接する側溝製品の端部にそれぞれ勾配１％〜５％の傾斜面が形成された場合を示している。
【図４】本発明の側溝製品における蓋版鉄筋の配置形態を例示する斜視図である。
【図５】本発明の側溝製品の典型的形態を例示する正面図であり、（ａ）は一般側溝における基本型を示し、左右側壁版が同一形状に形成されており、（ｂ）は一般側溝における隣地境界型を示し、左側の側壁版の外面が垂直に形成されている。
【図６】本発明の側溝製品の典型的形態を例示する正面図であり、（ａ）は坂道横断面対応型を示し、（ｂ）は縦断路対応型を示し、（ｃ）はマウント対応型を示している。
【図７】本発明の情報ケーブル収納対応型の側溝製品を例示する正面図であり、（ａ）は基本型を示し、（ｂ）は隣地境界型を示している。
【図８】本発明のビレッジ対応型の側溝製品を例示する正面図であり、（ａ）は基本型を示し、（ｂ）は隣地境界型を示し、（ｃ）は境界ブロック付きの基本型を示し、（ｄ）は境界ブロック付きの隣地境界型を示している。
【図９】本発明の透水対応型の側溝製品を例示する正面図であり、（ａ）はリブ付きの基本型を示し、（ｂ）はリブ付きの隣地境界型を示し、（ｃ）はリブ無しの基本型を示し、（ｄ）はリブ無しの隣地境界型を示している。
【図１０】本発明の平坦道路横断対応型の側溝製品を例示する右側面図であり、（ａ）は水路底面が山形の二つの傾斜面で構成された分水嶺型を示し、（ｂ）は水路底面が水平に形成された水平型を示し、（ｃ）は水路底面が片流れ斜面に形成された片流れ型を示している。
【図１１】本発明の集水対応型の側溝製品を例示するものであり、（ａ）は斜視図であり、（ｂ）は正面図であり、（ｃ）は右側面図である。
【図１２】本発明の透水舗装対応型の側溝製品を例示するものであり、（ａ）は斜視図であり、（ｂ）は正面図であり、（ｃ）は右側面図である。
【図１３】本発明のＬ型街渠対応型の側溝製品を例示するものであり、（ａ）は斜視図であり、（ｂ）は正面図であり、（ｃ）は右側面図である。
【図１４】本発明の滑り防止対応型の側溝製品を例示するものであり、（ａ）は斜視図であり、（ｂ）は正面図であり、（ｃ）は右側面図である。
【図１５】本発明のリブ付き化粧タイル対応型の側溝製品を例示するものであり、（ａ）は斜視図であり、（ｂ）は正面図であり、（ｃ）は右側面図である。
【図１６】本発明のリブ無し化粧タイル対応型の側溝製品を例示するものであり、（ａ）は斜視図であり、（ｂ）は正面図であり、（ｃ）は右側面図である。
【図１７】本発明のリブ付きカラークッションマット対応型の側溝製品を例示するものであり、（ａ）は斜視図であり、（ｂ）は正面図であり、（ｃ）は右側面図である。
【図１８】本発明のリブ無しカラークッションマット対応型の側溝製品を例示するものであり、（ａ）は斜視図であり、（ｂ）は正面図であり、（ｃ）は右側面図である。
【図１９】本発明のグレーチング集水対応型の側溝製品を例示するものであり、（ａ）は斜視図であり、（ｂ）は右側面図である。
【図２０】本発明のリブ付きカラー透水マット対応型の側溝製品を例示するものであり、（ａ）は斜視図であり、（ｂ）は正面図であり、（ｃ）は右側面図である。
【図２１】本発明のリブ無しカラー透水マット対応型の側溝製品を例示するものであり、（ａ）は斜視図であり、（ｂ）は正面図であり、（ｃ）は右側面図である。
【図２２】本発明の横断破損防止対応型の側溝製品を例示するものであり、（ａ）は斜視図であり、（ｂ）は正面図であり、（ｃ）は右側面図である。
【図２３】本発明の交通安全用自発光体対応型の側溝製品を例示する斜視図である。
【図２４】本発明の路面排水溝対応型の側溝製品を例示するものであり、（ａ）は平面図であり、（ｂ）は右側面図であり、（ｃ）は正面図である。
【図２５】本発明の交通安全用連続帯状反射対応型の側溝製品を例示する斜視図である。
【図２６】本発明の交通安全用非連続帯状反射対応型の側溝製品を例示する斜視図である。
【符号の説明】
１０  側溝本体
１１  側壁版
１２  底壁版
１３  蓋版
１４  インバートコンクリート
１５  布設現場の掘削溝
１６  基礎地盤
１７  基礎コンクリート
１８  蓋版掛け用肩部
１９  鉄筋組立体
２０  定型シール材
２１  境界ブロック
２２  連結鉄筋部材
２３  導水孔
２４  透水層
２５  導水溝
２６  導水切欠
２７  導水窪み
２８  側面導水孔
２９  滑り防止用粗面部
３０  化粧タイル
３１  カラークッションマット
３２  導水用グレーチング
３３  カラー透水マット
３４  破損防止用カバー金具
３５  交通安全用自発光体
３６  遊離脱落防止用凹部
３７  交通安全用反射塗料膜
３８  情報ケーブル収納孔
【図１】
2004270293.tif 000003
【図２】
2004270293.tif 000004
【図３】
2004270293.tif 000005
【図４】
2004270293.tif 000006
【図５】
2004270293.tif 000007
【図６】
2004270293.tif 000008
【図７】
2004270293.tif 000009
【図８】
2004270293.tif 000010
【図９】
2004270293.tif 000011
【図１０】
2004270293.tif 000012
【図１１】
2004270293.tif 000013
【図１２】
2004270293.tif 000014
【図１３】
2004270293.tif 000015
【図１４】
2004270293.tif 000016
【図１５】
2004270293.tif 000017
【図１６】
2004270293.tif 000018
【図１７】
2004270293.tif 000019
【図１８】
2004270293.tif 000020
【図１９】
2004270293.tif 000021
【図２０】
2004270293.tif 000022
【図２１】
2004270293.tif 000023
【図２２】
2004270293.tif 000024
【図２３】
2004270293.tif 000025
【図２４】
2004270293.tif 000026
【図２５】
2004270293.tif 000027
【図２６】
2004270293.tif 000028